(57)【要約】      （修正有）【課題】大規模な仮設足場であっても構造解析を容易に行うことができるようにして、資材の無駄を無くして工費を低減しながら、安全性を担保した仮設足場を容易に設計できるようにする仮設足場設計支援システムを提供する。【解決手段】情報入力手段１１により入力された仮設足場に関する情報に基づいて足場ユニットデータベース２０に記憶されている足場ユニットの中から建築物に対応する足場ユニットを選択する。構造解析処理手段１４は、選択された足場ユニットの構造を得て仮設足場を構成する。許容強度記憶データベース２５に記憶されている資材の許容強度に基づいて仮設足場の構造解析を行う。【選択図】図２
0003179447.tif 000002
【実用新案登録請求の範囲】
【請求項１】
各種建築物の仮設足場を設計する際に使用される仮設足場設計支援システムにおいて、
仮設足場を構成する複数種の構造の足場ユニットを、該足場ユニットの構築に必要な資材及び該資材の数量と共に記憶する足場ユニットデータベースと、
ユーザーが仮設足場に関する情報を入力する情報入力手段と、
上記資材の許容強度を記憶する許容強度記憶データベースと、
上記情報入力手段により入力された仮設足場に関する情報に基づいて上記足場ユニットデータベースに記憶されている足場ユニットの中から当該建築物に対応する足場ユニットを選択し、選択された足場ユニットの構造を得て仮設足場を構成し、上記許容強度記憶データベースに記憶されている上記資材の許容強度に基づいて仮設足場の構造解析を行うように構成された処理手段とを備えていることを特徴とする仮設足場設計支援システム。
【請求項２】
請求項１に記載の仮設足場設計支援システムにおいて、
上記情報入力手段は、気象条件の入力が可能に構成され、
上記処理手段は、上記情報入力手段に入力された気象条件に基づいて構造解析を行うように構成されていることを特徴とする仮設足場設計支援システム。
【請求項３】
請求項１または２に記載の仮設足場設計支援システムにおいて、
上記足場ユニットデータベースには、足場ユニットを構成する資材間の距離が記憶され、
上記情報入力手段には、足場板に対する積載荷重の入力が可能に構成され、
上記処理手段は、上記足場ユニットデータベースに記憶されている資材間の距離と、上記情報入力手段に入力された積載荷重と、上記許容強度記憶データベースに記憶されている上記資材の許容強度とに基づいて構造解析を行うように構成されていることを特徴とする仮設足場設計支援システム。
【考案の詳細な説明】
【技術分野】
【０００１】
本考案は、仮設足場の設計を支援する仮設足場設計支援システムに関するものである。
【背景技術】
【０００２】
従来から、建築物の建設現場や補修現場等では仮設足場を構築することが行われている。仮設足場は、鉛直方向に延びるように設置される建地用のパイプ、水平方向に延びるように設置される親パイプ、布パイプ及びコロバシパイプ、手すりパイプ、足場板等の主要な資材の他、パイプを繋ぐためのジョイント、クランプ等の資材で構成されている。
【０００３】
建築物が大規模になると、仮設足場を構成する資材数が膨大なものとなる。例えば、特許文献１に開示されているシステムでは、足場設計図面やその図面情報が存在しない仮設足場工事において、工事対象となる建築物の概要または図面と、仮設足場の仕様等の条件に基づいてコンピュータ処理により資材及び工費等を演算するように構成されている。このものでは、労働安全衛生規則の定めに従って仮設足場の資材種別とその数量を得て、資材リストとして表示、出力することが可能となっている。
【先行技術文献】
【特許文献】
【０００４】
【特許文献１】特許第３５４６３４４号
【考案の概要】
【考案が解決しようとする課題】
【０００５】
ところで、仮設足場にも安全性を担保する必要があることから、所定の強度が確保されているか否かを検証するために構造解析が求められる。しかし、仮設足場の資材は、例えば、パイプ類であれば長さの異なる複数のパイプがあり、また、足場板についても長さの異なる複数の足場板があり、資材の種類は多種にわたっている。
【０００６】
また、仮設足場の構造についても、例えばくみ足場を例にとると、平面視で足場板を四角形状に並べた四角形足場の他、六角形状や八角形状に並べた足場もある。さらに、足場板を幅方向にそれぞれ２枚、３枚、４枚並べた構造を採ることもある。
【０００７】
したがって、多種の資材を用いて多種の構造を作っていくことになるので、その組み合わせは無限に近いものがあり、構造解析を行うといってもどのように行うのかが問題となる。
【０００８】
構造解析を行わなければ、所定の強度が確保されているか検証するのが困難であり、また、強度上の余裕を見込んで構成した場合には、資材が無駄に使用されることがあり、工費の増大を招く結果となる。
【０００９】
本考案は、かかる点に鑑みてなされたものであり、その目的とするところは、大規模な仮設足場であっても構造解析を容易に行うことができるようにして、資材の無駄を無くして工費を低減しながら、安全性を担保した仮設足場を容易に設計できるようにすることにある。
【課題を解決するための手段】
【００１０】
上記の課題を解決するために本考案では次に示す構成を有している。
【００１１】
第１の考案では、各種建築物の仮設足場を設計する際に使用される仮設足場設計支援システムにおいて、
仮設足場を構成する複数種の構造の足場ユニットを、該足場ユニットの構築に必要な資材及び該資材の数量と共に記憶する足場ユニットデータベースと、
ユーザーが仮設足場に関する情報を入力する情報入力手段と、
上記資材の許容強度を記憶する許容強度記憶データベースと、
上記情報入力手段により入力された仮設足場に関する情報に基づいて上記足場ユニットデータベースに記憶されている足場ユニットの中から当該建築物に対応する足場ユニットを選択し、選択された足場ユニットの構造を得て仮設足場を構成し、上記許容強度記憶データベースに記憶されている上記資材の許容強度に基づいて仮設足場の構造解析を行うように構成された処理手段とを備えていることを特徴とする。
【００１２】
この構成によれば、足場ユニットデータベースに足場ユニットの構造を記憶させているので、各足場ユニットの構造を把握し、その足場ユニットで仮設足場を構成することで、例えば、複数のパイプの相対位置関係や足場板とパイプとの位置関係、即ち、パイプ間の距離や足場板の支持点間の距離を容易に把握することが可能になる。そして、資材の許容強度を許容強度記憶データベースから得ることで、仮設足場が大規模なものであっても構造解析を的確に、かつ、容易に行うことが可能になり、解析結果の信頼性が高まる。
【００１３】
第２の考案では、第１の考案において、
上記情報入力手段は、気象条件の入力が可能に構成され、
上記処理手段は、上記情報入力手段に入力された気象条件に基づいて構造解析を行うように構成されていることを特徴とする。
【００１４】
この構成によれば、例えば風の強さを気象条件として情報入力手段に入力することで、どの程度の強さの風まで安全の担保が可能かを容易に把握することが可能になる。
【００１５】
第３の考案では、第１または第２の考案において、
上記足場ユニットデータベースには、足場ユニットを構成する資材間の距離が記憶され、
上記情報入力手段には、足場板に対する積載荷重の入力が可能に構成され、
上記処理手段は、上記足場ユニットデータベースに記憶されている資材間の距離と、上記情報入力手段に入力された積載荷重と、上記許容強度記憶データベースに記憶されている上記資材の許容強度とに基づいて構造解析を行うように構成されていることを特徴とする。
【００１６】
この構成によれば、例えば仮設足場のパイプ間の距離を正確に把握し、パイプ間の距離と積載荷重と許容強度とに基づいて構造解析を行うことで解析結果の信頼性がより一層高まる。
【考案の効果】
【００１７】
第１の考案によれば、ユーザーにより選択された足場ユニットの構造を足場ユニットデータベースから得て、許容強度記憶データベースに記憶されている資材の許容強度に基づいて仮設足場の構造解析を行うようにしている。これにより、大規模な仮設足場であっても構造解析を容易に行うことができ、資材の無駄を無くして工費を低減しながら、安全性を担保した仮設足場を容易に設計できる。
【００１８】
第２の考案によれば、気象条件に基づいて構造解析を行うことで、仮設足場の安全を担保できる気象条件を事前に把握して作業員の退避の判断等に活用することができ、現場の安全性をより一層高めることができる。
【００１９】
第３の考案によれば、仮設足場の資材間の距離と積載荷重と許容強度とに基づいて構造解析を行うようにしたので、解析結果の信頼性をより一層高めることができ、仮設足場の安全性を十分に担保することができる。
【図面の簡単な説明】
【００２０】
【図１】実施形態にかかる仮設足場設計支援システムと各クライアントとの関係を示す概念図である。
【図２】仮設足場設計支援システムのブロック図である。
【図３】タワーくみ足場を四角形足場として２枚敷通路タイプとする場合の必要資材及びその数量を示す表である。
【図４】四角形足場として２枚敷通路タイプの平面図と必要資材及びその数量を示す表である。
【図５】タワーくみ足場を四角形足場として３枚敷通路タイプとする場合の図３相当図である。
【図６】タワーくみ足場を四角形足場として４枚敷通路タイプとする場合の図３相当図である。
【図７】タワーくみ足場を八角形足場とする場合の図３相当図である。
【図８】タワーくみ足場を八角形足場とする場合の図４相当図である。
【図９】横型機器くみ足場の必要資材及びその数量を示す表である。
【図１０】つり足場の親パイプの必要数量を示す表である。
【図１１】つり足場のパターンを示す図である。
【図１２】資材単価データベースに記憶されている情報を示す表である。
【図１３】歩掛りデータベースに記憶されている情報を示す表である。
【図１４】許容強度記憶データベースに記憶されている情報を示す表である。
【図１５】タワーくみ足場の条件入力画面を示す図である。
【図１６】横型機器くみ足場の条件入力画面を示す図である。
【図１７】つり足場の条件入力画面を示す図である。
【図１８】構造解析用入力画面を示す図である。
【図１９】建地に必要な資材及びその数量を示す表である。
【図２０】全ての建地を合計した場合の資材数量を示す表である。
【図２１】筋交いに必要な資材及びその数量を示す表である。
【図２２】全ての筋交いを合計した場合の資材数量を示す表である。
【図２３】タワーくみ足場の構造を示す図である。
【図２４】工事明細書のフォーマットを示す図である。
【図２５】布パイプの数量を示す表である。
【図２６】足場板の数量を示す表である。
【考案を実施するための形態】
【００２１】
以下、本考案の実施形態を図面に基づいて詳細に説明する。尚、以下の好ましい実施形態の説明は、本質的に例示に過ぎず、本考案、その適用物或いはその用途を制限することを意図するものではない。
【００２２】
図１は、本考案の実施形態にかかる仮設足場設計支援システム１と各クライアントＡ〜Ｄとの関係を示す概念図である。仮設足場設計支援システム１は、具体的にはＳａａＳ（Software as a Service）を提供する、いわゆるＳａａＳ提供サーバで構成されており、通信回線を介してインターネット網に接続されている。仮設足場設計支援システム１は、図２に示すように、Ｗｅｂサーバ２と、基幹アプリケーションサーバ３と、基幹データベースサーバ４とを備えている。
【００２３】
仮設足場設計支援システム１は、いわゆる汎用コンピュータであり、後述するステップを実行させる仮設足場設計支援処理プログラムをインストールすることによって機能するようになっている。また、仮設足場設計支援システム１を使用することで、仮設足場設計支援方法を提供することができる。
【００２４】
図１に示すように、インターネット網には、クライアントコンピュータであるクライアントＡ〜Ｄ（ユーザーに相当）が同様に通信回線を介して接続されている。クライアントＡ〜Ｄは、周知のＷｅｂブラウザがインストールされた汎用パーソナルコンピュータである。
【００２５】
尚、クライアントＡ〜Ｄがインターネット網に接続する通信回線は、有線であってもよいし、無線であってもよい。また、本明細書では説明の便宜上、クライアントの数を４つとしているが、これに限られるものではない。
【００２６】
クライアントＡ〜Ｄには、ユーザーＩＤ及びパスワードが予め付与されており、仮設足場設計支援システム１にアクセスする際にはユーザーＩＤ及びパスワードの入力が要求される。つまり、仮設足場設計支援システム１は、特定のクライアントＡ〜Ｄに対してのみアクセスを許容し、図２に示す基幹アプリケーションサーバ３や基幹データベースサーバ４の利用環境を提供するように構成されている。したがって、クライアントＡ〜Ｄは、どこからでも、いわゆるロケーションフリーで基幹アプリケーションサーバ３のアプリケーションや、基幹データベースサーバ４のデータを利用することができるようになっている。
【００２７】
Ｗｅｂサーバ２は、周知のものであり、Ｗｅｂブラウザ等のクライアントＡ〜Ｄ側のソフトウェアの要求に応じ、インターネット網を通じて各種情報を送信するためのものである。
【００２８】
基幹アプリケーションサーバ３は、足場種別選択手段１０と、情報入力手段１１と、見積処理手段１２と、表示処理手段１３と、構造解析処理手段１４とを備えている。
【００２９】
基幹データベースサーバ４は、足場ユニットデータベース２０と、資材単価データベース２１と、歩掛りデータベース２２と、ユーザーデータフォルダ２３と、足場タイプ図面データベース２４と、許容強度記憶データベース２５とを備えている。
【００３０】
基幹アプリケーションサーバ３は、クライアントＡ〜Ｄから入力された仮設足場に関する情報に基づいて基幹データベースサーバ４に記憶されている各種データを読み込んで当該建築物の仮設足場の構造解析を行うとともに、仮設足場工事に要する費用の見積金額も算出するように構成されている。
【００３１】
本仮設足場設計支援システム１では、構造解析を行うことのできる仮設足場及び見積金額を算出できる仮設足場の種類は複数種あり、また、仮設足場を構築する建築物の規模や形状にも幅広く対応できるようになっている。尚、構造解析のみを行うこともできるし、見積金額の算出のみを行うこともできる。
【００３２】
足場ユニットデータベース２０には、タワーくみ足場、横型機器くみ足場、つり足場の各々を構成する足場ユニットと、該足場ユニットの構築に必要な資材及び該資材の数量とが関連付けられて記憶されている。さらに、足場ユニットデータベース２０には、足場ユニットの構造、即ち、足場ユニットを構成する資材（パイプ、足場板等）の各々の配置状態（水平、鉛直等）と、資材の相対位置関係とが記憶されている。
【００３３】
タワーくみ足場、横型機器くみ足場及びつり足場は足場の種類であり、建築物によってどの足場を使用するか決まっている。すなわち、タワーくみ足場は、建築物が例えば円筒状の縦型タンクである場合に使用し、横型機器くみ足場は、建築物が例えば円筒状の横型タンクである場合に使用し、つり足場は、建築物（架台を含む）の上部等から吊り下げた状態で使用するものである。
【００３４】
まず、タワーくみ足場について説明する。タワーくみ足場は、四角形型と、八角形型と、十角形型と、十二角形型との４種類ある。四角形型とは、複数の足場板を、平面視で四角形の各辺を構成するように配置する形式であり（図４参照）、八角形型とは、同様に八角形の各辺を構成するように足場板を配置する形式である（図８参照）。十角形型、十二角形型も同様である。そして、四角形型、八角形型、十角形型、十二角形型には、それぞれ、足場板を幅方向に２枚並べた２枚敷通路タイプと、３枚並べた３枚敷通路タイプと、４枚並べた４枚敷通路タイプとがある。
【００３５】
四角形型は、八角形型よりも構造が簡単であるため低コスト化を図ることができるという特徴があり、一方、八角形型は複雑なトラス構造となるため強度が高く、例えば強風地域等に適しているという特徴がある。
【００３６】
図３に示すように、四角形型の２枚敷通路タイプは、建築物である縦型タンクの直径φによってさらに細かく分かれている。縦型タンクの直径φが５００ｍｍよりも小さい場合、５００ｍｍ以上９００ｍｍよりも小さい場合、９００ｍｍ以上１４００ｍｍよりも小さい場合、以降、５００ｍｍおきに、最大が１１４００ｍｍまで多数のパターンがある。図３には、直径φが１９００ｍｍ以上２４００ｍｍよりも小さい場合、２４００ｍｍ以上２９００ｍｍよりも小さい場合を記載し、他の省略している。
【００３７】
四角形型の２枚敷通路タイプの一部のパターンについて図３に基づいて説明する。直径φが１９００ｍｍ以上２４００ｍｍよりも小さい場合は、さらに、「６．０ｍ」と「５．０ｍ」との２種類がある。「６．０ｍ」とは、仮設足場を構築する際に使用される単管パイプの最大長さを６．０ｍまで許容するパターンであり、「５．０ｍ」は単管パイプの最大長さを５．０ｍとするパターンである。「６．０ｍ」と「５．０ｍ」とは、後述するがユーザーが選択できるようになっている。仮設足場の高さについては、仮設足場の階数（段数）を増加させて対応する。
【００３８】
図３における「６．０ｍ」の場合の左側の欄の数値は、仮設足場を一段分構築するのに必要な資材の種類及びその資材の数量を示している。これを一段分の足場ユニットとする。すなわち、一段分の足場ユニットを構成するのに、四角形型の２枚敷通路タイプの「６．０ｍ」では、４．５ｍの単管パイプが１６本、１．５ｍの単管パイプが４本、１．０ｍの単管パイプ４本、４０００ｍｍの足場板が６枚、２０００ｍｍの足場板が１２枚、直交クランプが８４個、鉄骨用クランプが２個、固定ベースが２個、３０００ｍｍの幅木用足場板が４枚、２０００ｍｍの幅木用足場板が４枚必要であることを示している。また、根がらみ用の４．５ｍの単管パイプが８本、１．５ｍの単管パイプが４本、１．０ｍの単管パイプが４本、直交クランプが５２個必要である。
【００３９】
直径φが１９００ｍｍ以上２４００ｍｍよりも小さい場合では、その大きさ故に、一段分の足場ユニットを構成するのに６．０ｍの単管パイプは不要であるため、「５．０ｍ」の場合も「６．０ｍ」の場合と同じ資材及び数量となっている。
【００４０】
尚、地域や、現場の作業員によっては、６．０ｍの単管パイプを使用しないことがあり、その場合には５．０ｍ以下の単管パイプを使用するようにする。また、６．０ｍの単管パイプを用意していない現場もあり、その場合には５．０ｍ以下の単管パイプを使用するようにする。
【００４１】
また、建地用固定ベースは、縦型タンクの高さＨが３１ｍ以下の場合は２０個、Ｈが３１ｍｍよりも高い場合には２倍の４０個必要である。これは後述するがユーザーが入力した高さＨの値に基づいて自動的に選択される。敷板についても同様である。補強用ジャッキベースは５６個、補強用パイプは５６本、自在クランプは１１２個必要である。
【００４２】
図４には、一段分の足場ユニットの平面図及び資材の内訳を示している。これは、実際に一段分の足場ユニットを構築する際に必要な資材と、その数量であり、これを１つの足場ユニットとして足場ユニットデータベース２０に記憶している。
【００４３】
図４に示す足場ユニットの平面図は、当該足場ユニットの資材の配置状態と、相対位置関係を示しており、これが足場ユニットデータベース２０に記憶されている。建地を構成する建地パイプは、鉛直方向に延びている。
【００４４】
建地パイプの間隔は、部位によって異なり、１８００ｍｍと、１６５０ｍｍと、１３００ｍｍである。布パイプは、水平方向に延びている。布パイプは、建地パイプに対してクランプにより固定されており、従って、布パイプの支点間の距離は建地パイプの間隔に対応している。また、コロバシパイプも水平方向に延びており、建地パイプに対してクランプにより固定されているので、コロバシパイプの支点間の距離も建地パイプの間隔に対応している。足場板はコロバシパイプの上に略水平に設置されるので、コロバシパイプ間の距離が足場板の支点間の距離となる。
【００４５】
足場ユニットデータベース２０には、四角形型について、２枚〜４枚敷通路の各タイプの縦型タンクの直径に応じた複数のパターンと、さらにその直径パターンの各々について「５．０ｍ」の場合と「６．０ｍ」の場合とが足場ユニットとして記憶されており、記憶されている足場ユニットには、その構築に必要な資材と、資材数量と、資材の配置状態と、資材の相対位置関係とが関連付けられている。
【００４６】
他にも、図５に示す四角形型の３枚敷通路タイプの足場ユニット、図６に示す四角形型の４枚敷通路タイプの足場ユニット、図７に示す八角形型の足場ユニットが記憶されている。八角形型も四角形型と同様に、２枚敷通路タイプ、３枚敷通路タイプ、４枚敷通路タイプがある。図８は、八角形足場の一部を示す平面図と資材の内訳を示している。図４及び図８に示す平面図及び内訳は各足場ユニット毎に足場ユニットデータベース２０に記憶されており、特に、内訳を表形式で記憶させていることにより、数量の修正を容易に行うことが可能になる。また、図示しないが、十二角形型も同様に足場ユニットデータベース２０に記憶されている。
【００４７】
図８に示す八角形足場の平面図では一部の資材を省略しているが、図４に示す四角形足場と同様に建地パイプ、布パイプ、コロバシパイプ、足場板の配置状態と、相対位置関係が記載されており、配置状態、相対位置関係が足場ユニットデータベース２０に記憶されている。他の形式の足場についても同様に全ての資材の配置状態と相対位置関係が記憶されている。
【００４８】
尚、直径が１９００ｍｍ以上２４００ｍｍよりも小さい場合では、その建築物の大きさがそれほど大きくないので、６．０ｍや５．０ｍの単管パイプを使用しなくても足場を構築できるが、例えば、直径が７０００ｍｍよりも大きくなると、６．０ｍや５．０ｍの単管パイプを使用することになる。
【００４９】
また、基幹データベースサーバ４には、養生を行う場合に要する費用、各種重機を使用する場合に要する費用等も記憶されている。
【００５０】
次に、横型機器くみ足場について説明する。図９に示すように、横型機器くみ足場は、横型タンクの直径φが５００ｍｍよりも小さい場合（図示せず）、５００ｍｍ以上１０００ｍｍよりも小さい場合（図示せず）、１０００ｍｍ以上１５００ｍｍよりも小さい場合がある。これらそれぞれについて、２枚敷通路タイプ、３枚敷通路タイプ、４枚敷通路タイプがある。さらに、各通路タイプに、１段作業床、２段作業床とがある。したがって、横型機器くみ足場については、横型タンクの直径、通路タイプ、作業床数で区分された複数の足場ユニットが存在しており、それぞれの足場ユニットは、必要な資材及びその数量と、資材の配置状態及び資材の相対位置関係とを関連付けて足場ユニットデータベース２０に記憶されている。
【００５１】
次に、つり足場について説明する。つり足場は、図１０に示すように、耐火被覆無しのパターンと有りのパターンとがある。図１１に示すように、耐火被覆無しのパターンは、さらに、四面通路の場合、両側通路の場合、片側通路の場合、通路無しの場合がある。このつり足場についても、資材の配置状態及び資材の相対位置関係が足場ユニットデータベース２０に記憶されている。
【００５２】
次に、資材単価データベース２１と歩掛りデータベース２２について説明する。資材単価データベース２１には、例えば図１２に示すように、単管パイプ、足場板、クランプ等の単価と重量とが記憶されている。単管パイプは、建地パイプ、布パイプ、コロバシパイプとして使用されるパイプである。
【００５３】
単価には、予算単価と、見積単価と、購入単価とがある。歩掛りデータベース２２には、図１３に示すように、資材毎の歩掛りが記憶されている。歩掛りとは、作業員１人１日あたりの作業量、すなわち作業能率に関する指標であり、工事を請け負う業者毎に異なる数値となる。作業とは、具体的には、足場を構成する各資材の組立解体作業である。
【００５４】
資材単価データベース２１と歩掛りデータベース２２は、仮設足場設計支援システム１にアクセスした各クライアントＡ〜Ｄが独自に決めた値を入力して任意に変更することが可能となっている。変更した単価及び歩掛りはクライアントＡ〜Ｄ毎に記憶される。
【００５５】
図２に示すユーザーデータフォルダ２３は、クライアントＡ〜Ｄ毎に設けられている。ユーザーデータフォルダ２３には、クライアントＡ〜Ｄが本仮設足場設計支援システム１を利用して得た見積金額が資材及びその数量と共に記憶されるようになっている。
【００５６】
足場タイプ図面データベース２４は、各仮設足場の概略図を表す図面データを記憶しており、タワーくみ足場を表す図面データ、横型機器くみ足場を表す図面データ、つり足場を表す図面データがある。各図面データは、クライアントＡ〜Ｄのコンピュータ画面上に表示され、ユーザーが各種データ入力を行う際に足場構造を参照しながら行うことができるようになっている。
【００５７】
基幹データベースサーバ４の許容強度記憶データベース２５には、資材の許容強度が記憶されている。図１４に示すように、足場板の種類は仮設足場を構築する際に用いられる鋼製軽量足場板としている。寸法は、厚みＴが４０ｍｍで、幅Ｗが２５０ｍｍで、長さＬが２０００ｍｍ、３０００ｍｍ、４０００ｍｍの３種類ある。足場板の自重を求めるために、単位重量も記憶している。また、断面係数と許容曲げ応力を記憶している。
【００５８】
単管パイプは、ＪＩＳ  Ｇ  ３４４４に規定する外径４８．６ｍｍ、厚さ２．４ｍｍ（ＳＴＫ５００）の鋼管を用いている。単管パイプについては、単位重量、断面係数、回転半径、断面積を記憶している。また、ＳＴＫ５００の許容応力度として、引張、圧縮、曲げ、剪断のそれぞれを記憶している。また、単管パイプのヤング係数、降伏点、許容引張応力度、許容曲げ応力度も記憶している。
【００５９】
基幹アプリケーションサーバ３の足場種別選択手段１０は、タワーくみ足場、横型機器くみ足場及びつり足場のいずれの足場の設計及び見積を行うかクライアントＡ〜Ｄに選択させるためのものである。例えば、足場選択画面をクライアントＡ〜Ｄのコンピュータ画面に表示させて選択可能に構成する。
【００６０】
基幹アプリケーションサーバ３の情報入力手段１１は、タワーくみ足場用の各種情報入力画面（図１５参照）、横型機器くみ足場用の各種情報入力画面（図１６参照）、及びつり足場用の各種情報入力画面（図１７参照）をクライアントＡ〜Ｄのコンピュータ画面に表示させて、各入力画面に入力されたデータを一時的に記憶して見積処理手段１２及び構造解析処理手段１４に送出するように構成されている。
【００６１】
タワーくみ足場用の各種情報入力画面は、図１５に示すように、機器（建築物としての縦型タンク）の高さＨ、機器の直径φ、足場の形状等を入力することができるようになっている。足場の形状は、四角形型、八角形型、十角形型、十二角形型であり、足場の形状を入力する欄の隣りには、各足場の形状に対応した機器の直径の範囲が表示されている。例えば、１１４００ｍｍよりも大きな直径を持つ縦型タンクの仮設足場としては、四角形型を選択できないようになっている。これにより、機器に対応しない足場の形状が誤って選択されるのを未然に防止している。
【００６２】
タワーくみ足場用の各種情報入力画面の「長尺パイプのサイズ」とは、単管パイプの最大長さを６．０ｍまで許容するか、５．０ｍとするかを選択するためのものである。これは例えば６．０ｍの単管パイプを使用しない地域や作業現場等に対応するためである。
【００６３】
その他にも、巾木の設置の有無、養生の設置の有無、重機の使用の有無等の入力が可能となっている。
【００６４】
資材単価の種類は、３種類の中から選択できるようになっている。すなわち、資材単価データベース２１の予算単価に基づいて見積金額を算出するか、見積単価に基づいて見積金額を算出するか、購入単価として見積金額を算出するか選択することが可能になっている。
【００６５】
資材数量の係数とは、データベースに基づいて演算した各資材の数量をクライアントＡ〜Ｄ側で任意に増減させたい場合に入力する。１を入力すると増減は行われず、１よりも大きい数値又は小さい数値を入力すると、各資材の数量にその数値を乗じた数量に基づいて見積金額が算出されるようになる。図１５では、１．１０を入力しているので、各資材の数量は１０％ほど多く見積もられることになる。
【００６６】
人工単価の設定もユーザー側で自由に行えるようになっている。
【００６７】
資材単価の係数とは、資材の単価をクライアントＡ〜Ｄ側で任意に増減させたい場合に入力する。１を入力すると増減は行われず、１よりも大きい数値又は小さい数値を入力すると、各資材の単価にその数値を乗じた単価に基づいて見積金額が算出されるようになる。図１５では、１．１０を入力しているので、各資材の単価は１０％ほど高く見積もられることになる。
【００６８】
この入力画面の下部には、足場図面表示領域が設けられている。この足場図面表示領域には、足場タイプ図面データベース２４に記憶されているタワーくみ足場の図面が表示されるようになっている。ユーザーは、入力画面に表示されている足場タイプ図面を見ることで、仮設足場の構造をイメージしながら各種情報を入力することが可能になる。
【００６９】
横型機器くみ足場用の各種情報入力画面は、図１６に示すとおりである。また、つり足場用の各種情報入力画面は、図１７に示すとおりである。
【００７０】
また、情報入力手段１１は、構造解析用の各種情報入力画面（図１８参照）も有しており、この構造解析用入力画面もクライアントＡ〜Ｄのコンピュータ画面に表示させて、入力されたデータを一時的に記憶して構造解析処理手段１４に送出するように構成されている。
【００７１】
構造解析用入力画面は、上記足場選択画面（図１５に示す）による足場の選択が完了した後に表示されるようになっている。
【００７２】
構造解析用入力画面には、作業員１名の体重を入力するための条件入力領域と、作業員の運搬物の重量を入力するための動荷重入力領域とが設けられている。動荷重は作業員の体重と運搬物の重量とを合わせたものである。
【００７３】
また、構造解析用入力画面には、静荷重入力領域が設けられている。建地パイプの間隔、コロバシパイプの間隔、布パイプの間隔は、足場ユニットデータベース２０に記憶されている値が自動的に入力される。これら間隔は、仮設足場の中で最大の値を選択する。つまり、強度計算上、最も厳しい部分の値を選択して入力する。
【００７４】
静荷重入力領域の足場板枚数、手すり段数、足場高さ（最上段の手すりまでの高さ）、建地パイプ２本組部分の段数、建地パイプ１本組部分の段数、各層間隔は、ユーザーが入力する。建地パイプ２本組部分の段数とは、仮設足場の高さが所定高さ以上になると、下側部分の建地パイプ２本を１組として使用する必要があり、その部分の段数のことである。建地パイプ１本組部分の段数は、建地パイプ２本組部分以外の段数である。
【００７５】
構造解析用入力画面には、養生に関する入力領域が設けられている。この入力領域には、充実率を入力する。養生無し（充実率０％）、メッシュシート、ラッセルネット、シート（充実率１００％）のどれを選択するかで充実率が変化するので、対応する養生に応じた充実率を入力する。
【００７６】
構造解析用入力画面には、気象条件としての風速及び風力係数を入力することができるようになっている。
【００７７】
構造解析用入力画面には、仮設足場と建築物の壁とを繋ぐための壁つなぎに関する情報入力領域が設けられている。この入力領域には、水平方向の許容荷重と、鉛直方向の許容荷重と、壁つなぎが有するクランプ許容強度とを入力することができるようになっている。
【００７８】
さらに、構造解析用入力画面には、補強材としての方杖に関する情報も入力できるようになっている。
【００７９】
構造解析処理手段１４は、情報入力手段の足場選択画面及び構造解析用入力画面から入力された仮設足場に関する情報に基づいて足場ユニットデータベース２０に記憶されている足場ユニットの中から当該建築物に対応する足場ユニットを選択する。そして、選択した足場ユニットの構造（資材の配置状態、相対位置関係等）を得て仮設足場を仮想的に構成する。その後、許容強度記憶データベース２５に記憶されている資材の許容強度を読み込み、足場ユニットの構造と資材の許容強度とに基づいて仮設足場の構造解析を行うように構成されている。
【００８０】
具体的には、図１５に示すように各種情報が入力されたと仮定する。これはクライアントＡ〜Ｄにより入力される情報入力ステップに相当する。
【００８１】
機器の高さＨが５０ｍであるので、この値に基づいて仮設足場の段数を計算する。段数（ＤＡＮ）は、縦型タンクの高さをＨとすると、
ＤＡＮ＝（Ｈ−０．２）／１．８
で得られた数値を四捨五入して得るようにしている。この場合、段数は２８段となる。
【００８２】
機器の直径は２．５０ｍと入力されており、足場の形状としては四角形型以外は選択できないことが入力画面上から分かる。四角形型が選択され、３枚敷通路が選択され、長尺パイプのサイズとして６ｍが選択されている。したがって、見積処理手段１２は、図５の太線の枠で囲んだ足場ユニットを選択する。太線枠内の左側の欄は、１段分の資材及びその数量である。右側の欄は、左側の欄の数値に段数２８を乗じて得た数値である。
【００８３】
また、建地の部材については、図１９に示すように資材及びその数量を得る。まず、足場最上段の手すりまでの高さＨＡを得る。ＨＡは、機器の高さＨに１ｍを加えた値であり、本実施形態では５１ｍとなる。
【００８４】
次に、建地１本当たりの資材及びその数量を算出する。ＨＡが７．５ｍよりも大きいので、６．０ｍの単管パイプを主に使用することになる。図１９におけるＰ６０とは６．０ｍの単管パイプのことであり、Ｐ６０の欄には、ＨＡを単管パイプの長さである６．０で除して小数点以下切り捨てた値が入力される。本実施形態では８となり、６．０ｍの単管パイプを８本使用する。また、ＨＡを６．０で除した余りは３．０ｍであり、この３．０ｍは、２．５＜ＮＯＫＯ１Ａ≧３の範囲に含まれるので、Ｐ３５（３．５ｍの単管パイプ）を１本使用する。また、これら単管パイプを連結するジョイントの数（ＪＹＯ）は８個である。つまり、建地１本につき、６．０ｍの単管パイプを８本、３．５ｍの単管パイプを１本、ジョイントを８個使用する。建地の数は２０であるので、これらを２０倍した数量が建地の部材となる（図２０に示す）。尚、建地の数は、機器の直径や、足場の形状により変わり、また、高さＨによっても変わる。
【００８５】
また、筋交いの部材については、図２１に示すように資材及びその数量を得る。機器の直径φと高さＨから筋交い１箇所あたりの長さを自動的に計算されるように構成されており、本実施形態の場合は、筋交い１箇所あたりの長さ（ＳＵＪＩ）は７．７ｍである。また、同様に機器の直径φと高さＨとから筋交いを設ける箇所数３８も自動的に得られる。
【００８６】
７．５ｍ＜ＳＵＪＩとなるので、６．０ｍの単管パイプを１本使用する。さらに、７．７から６．０を差し引いた値が１．７（ＮＯＫＯ１Ｃ）であるため、１．５＜ＮＯＫＯ１Ｃ≧２．０の場合に相当し、２．０ｍの単管パイプを１本使用する。また、ジョイントを１個、クランプを６個使用する。つまり、筋交い１箇所につき、６．０ｍの単管パイプを１本、２．０ｍの単管パイプを１本、ジョイントを１個、クランプを６個使用する。筋交いを設ける箇所数が３８であるので、これらを３８倍した数量が筋交いの部材数となる（図２２に示す）。
【００８７】
上記のようにしてタワーくみ足場を構成する全ての資材及びその数量を得るとともに、足場ユニットを構成する資材の配置状態、相対位置関係を得る。
【００８８】
そして、構造解析処理手段１４は、仮想的に足場ユニットを組み合わせて所望規模の仮設足場を構成する。
【００８９】
その後、許容強度記憶データベース２５に記憶されている資材の許容強度を読み込むとともに、情報入力手段の構造解析用入力画面から入力された情報を読み込み、以下の構造解析処理を行う。
【００９０】
構造解析処理では、建地パイプの座屈強度、風荷重（風が吹いたときにかかる荷重）、足場板の曲げ強度、コロバシパイプの曲げ強度、布パイプの曲げ強度が各材料の許容強度よりも高いか否かを演算する。この場合、所定の安全率を確保するものとする。
【００９１】
まず、仮設足場を構成する一部材である建地パイプの座屈強度の解析方法について説明する。許容座屈応力の演算には次式を使用する。
【００９２】
【数１】
0003179447.tif 000003
【００９３】
ここで、ｌは建地パイプの長さ、ｉは建地パイプの最小二次断面二次半径、Λは限界細長比、σｃは許容座屈応力の値、νは安全率、Ｆは建地パイプの鋼材の降伏強さの値、または引張強さの値の４分の３の値のうち、いずれか小さい値である。
【００９４】
一方、最下段の建地パイプに実際に発生する応力を演算する。これは建地パイプにかかる荷重と建地パイプの断面積とから求める。最下段の建地パイプにかかる荷重は、その建地パイプよりも上で仮設足場を構成している資材及びその数量によって得ることができる。
【００９５】
上述のように資材及び数量を得て、仮設足場を仮想的に構築しているので、最下段の１本の建地パイプにかかる荷重は、資材の合計重量を最下段に位置する建地パイプの本数で割ることによって得られる。このとき、作業員及び運搬物の重量も合計荷重に加えておく。
【００９６】
許容座屈応力度と最下段の建地パイプに実際に発生する応力とを比較して許容座屈応力度の方が大きければクライアントの画面に「座屈強度ＯＫ」と表示し、一方、許容座屈応力度の方が小さければクライアントの画面に「座屈強度ＮＧ」と表示する。
【００９７】
次に、風荷重の演算方法について説明する。風荷重の演算には次式を使用する。
【００９８】
【数２】
0003179447.tif 000004
【００９９】
ここで、Ｐｗは風荷重（Ｎ／ｍ２）であり、Ｖは設計風速であり、ｈは受圧部分の地上高さであり、Ｃは風力係数であり、γは充実率である。
【０１００】
風荷重は壁つなぎの解析に用いる。壁つなぎは水平方向に４．０ｍ間隔とし、鉛直方向に４．０ｍ間隔としている。壁つなぎのクランプ許容強度を３１５ｋｇとしており、これに安全率を例えば１．３だけ見込むようにする。
【０１０１】
１つの壁つなぎにかかる荷重は、風荷重×（４．０ｍ×４．０ｍ）となる。この値が安全率を見込んだ壁つなぎのクランプ許容強度よりも小さければクライアントの画面に「壁つなぎＯＫ」と表示し、一方、大きければクライアントの画面に「壁つなぎＮＧ」と表示する。
【０１０２】
次に、足場板の曲げ強度の解析方法について説明する。図２３（ａ）に示すように、足場板１００は、コロバシパイプ１０１の上に設置されるものであるので、足場板１００の支点はコロバシパイプ１０１との接点となる。従って、足場板１００の支点間の距離はコロバシパイプ１０１の間隔と等しい。演算に用いる支点間の距離は仮設足場全体で最大の値とする。この足場板１００には、等分布荷重として足場板１００の自重が作用し、集中荷重Ｐとして作業員及び運搬物の重量が作用する。
【０１０３】
両端支持梁の考え方に基づいて最大曲げ応力が得られる。この曲げ応力が安全率を見込んだ許容曲げ応力よりも小さければ、クライアントの画面に「足場板ＯＫ」と表示し、一方、大きければクライアントの画面に「足場板ＮＧ」と表示する。
【０１０４】
次に、コロバシパイプ１０１の曲げ強度の解析方法について説明する。図２３（ｂ）に示すように、コロバシパイプ１０１は布パイプ１０２の上に設置されるものであるので、このコロバシパイプ１０１の支点は布パイプ１０２となり、支点間の距離は布パイプ１０２の間隔と等しい。演算に用いる支点間の距離は仮設足場全体で最大の値とする。このコロバシパイプ１０１には、等分布荷重としてコロバシパイプ１０１の自重が作用し、集中荷重Ｐとして作業員及び運搬物の重量と足場板の重量とが作用する。
【０１０５】
両端支持梁の考え方に基づいて最大曲げ応力が得られる。この曲げ応力が安全率を見込んだ許容曲げ応力よりも小さければ、クライアントの画面に「コロバシパイプＯＫ」と表示し、一方、大きければクライアントの画面に「コロバシパイプＮＧ」と表示する。
【０１０６】
次に、布パイプ１０２の曲げ強度の解析方法について説明する。図２３（ｃ）に示すように、布パイプ１０２は建地パイプ１０３にクランプで固定されるものであるので、この布パイプ１０２の支点は建地パイプ１０３となり、支点間の距離は建地パイプ１０３の間隔と等しい。演算に用いる支点間の距離は仮設足場全体で最大の値とする。この布パイプ１０２には、等分布荷重として布パイプ１０２の自重が作用し、集中荷重Ｐとして作業員及び運搬物の重量と足場板の重量とコロバシパイプ１０１の重量とが作用する。
【０１０７】
両端支持梁の考え方に基づいて最大曲げ応力が得られる。この曲げ応力が安全率を見込んだ許容曲げ応力よりも小さければ、クライアントの画面に「布パイプＯＫ」と表示し、一方、大きければクライアントの画面に「布パイプＮＧ」と表示する。
【０１０８】
仮設足場設計支援システム１は、上記のようにして構造解析を行った後、要求のあったクライアントＡ〜Ｄのコンピュータに送信する。クライアントＡ〜Ｄのコンピュータでは解析結果が表示される。
【０１０９】
次に、見積処理手段１２による処理手順について説明する。見積処理手段１２は、情報入力手段１１により入力された各種情報に基づいて、足場ユニットデータベース２０に予め記憶されている足場ユニットの中から対応する足場ユニットを選択し、選択された足場ユニットの構築に必要な資材及び該資材の数量を得て、得られた資材及び該資材の数量と、資材単価データベース２１の各資材の単価及び歩掛りデータベース２２の各資材の歩掛りとを積算して見積金額を算出するように構成されている。
【０１１０】
次に、タワーくみ足場の見積金額の算出手順を説明する。
【０１１１】
足場ユニットデータベース２０に、上記した足場ユニットを、該足場ユニットの構築に必要な資材及びその数量と共に記憶させる（足場ユニット記憶ステップ）。また、資材単価データベース２１には、図１２に示す各資材の単価を記憶させる（資材単価記憶ステップ）。また、歩掛りデータベース２２には、図１３に示す各資材の歩掛りを記憶させる（歩掛り記憶ステップ）。さらに、足場タイプ図面データベース２４には、足場の概略図面を記憶させる。各資材の単価及び各資材の歩掛りは、クライアントＡ〜Ｄが仮設足場設計支援システム１にアクセスしてから任意の値を記憶させることができ、また、仮設足場設計支援システム１の所有者が予め記憶させておき、クライアントＡ〜Ｄが変更することも可能である。
【０１１２】
図１５に示すように仮設足場に関する情報が入力されたと仮定する。これはクライアントＡ〜Ｄにより入力される（情報入力ステップ）。
【０１１３】
上記のようにしてタワーくみ足場を構成する全ての資材及びその数量を得る。そして、見積処理手段１２は、各資材の数量に資材単価データベース２１に記憶されている単価を乗じ、これらを積算していくことで全体の資材費を得る。また、見積処理手段１２は、各資材の数量と歩掛りデータベース２２に記憶されている歩掛りと人工単価とに基づいて部分的な労務費を得て、これらを積算していくことで全体の労務費を得る。計算方法についてはたとえば特許第３５４６３４４号公報に開示されている方法が利用できる。以上が処理ステップである。
【０１１４】
尚、必要に応じて養生をする場合に要する費用や、重機を使用する場合に要する費用を基幹データベースサーバ４から取り込んで見積金額に加算することも可能である。
【０１１５】
上記のように各ステップが実行される。これらステップを実行可能とするのが仮設足場設計支援システム１にインストールされている仮設足場設計支援プログラムであり、このプログラムは、例えばＣＤ−ＲＯＭ等のコンピュータ読み取り可能な記録媒体に記録して提供することができる。
【０１１６】
見積処理手段１２で得た資材費及び労務費は、表示処理手段１３によって図２４に示す工事明細表形式となるようにデータ処理される。これがクライアントＡ〜Ｄのコンピュータに送信されてユーザーが閲覧等することができる。
【０１１７】
横型機器くみ足場についても基本的には上記タワーくみ足場の場合と同様である。
【０１１８】
横型機器くみ足場の場合には、図２５に示すように布パイプの部材を得る。図２５中のＬＡとは、足場の長さであり、図１６における機器の長さＬ６．５０ｍに２ｍを加えた長さである。
【０１１９】
図２５において７．５ｍ＜ＬＡとなるので、６．０ｍの単管パイプを１本使用する。さらに、８．５から６．０を差し引いた値が２．５（ＮＯＫＯ１Ａ）であるため、２．０＜ＮＯＫＯ１Ａ≧２．５の場合に相当し、２．５ｍの単管パイプを１本使用する。また、ジョイントを１個使用する。つまり、布パイプ１列につき、６．０ｍの単管パイプを１本、２．５ｍの単管パイプを１本、ジョイントを１個使用する。布パイプを設ける箇所数は横型タンクの大きさによって自動的に設定され、本実施形態では２０列であるので、これらを２０倍した数量が布パイプの部材となる（図示せず）。
【０１２０】
また、横型機器くみ足場の場合には、図２６に示すように巾木を含む足場板の数量を得る。４．０ｍ＜ＬＡとなるので、４００ｍｍの足場板（Ａ４００）を２枚使用し、さらに、ＬＡ８．５から４００ｍｍ×２を差し引いた値が０．５であるため、０＜ＮＯＫＯ１Ｃ≧１．０の場合に相当し、１００ｍｍの足場板（Ａ１００）を１枚使用する。
【０１２１】
このようにして横型機器くみ足場を構成する全ての資材及びその数量を得る。そして、見積処理手段１２は、資材費及び労務費を得る。見積処理手段１２で得た資材費及び労務費は、表示処理手段１３によって図２４に示す工事明細表形式となるようにデータ処理されてクライアントＡ〜Ｄのコンピュータに送信される。
【０１２２】
また、つり足場については、図１０に示す耐火被覆無しで四面通路の場合、親パイプの長さを次のようにして求める。すなわち、ＲＡＣＫの長さ（つり足場の長手方向の寸法）ＲＬ（図１７に示す）に、両側への張り出し通路分である１ｍ＋１ｍを加えた長さを親パイプの長さとする。両側通路、片側通路、通路無しの場合は、ＲＬに１ｍを加えた長さを親パイプの長さとする。
【０１２３】
また、図１０の足場の巾は、図１７のＲＡＣＫの巾に０．５ｍを加えた長さとする。
【０１２４】
四面通路及び両側通路の親パイプの列数は、ＲＡＣＫの巾を親パイプの間隔で除した値を小数点第１位で四捨五入し、定数３を加えた数とする。片側通路の場合は、定数２を加えた数とし、通路無しの場合は、定数１を加えた値とする。
【０１２５】
また、耐火被覆有りの場合には、親パイプの長さ及び足場の巾は、耐火被覆無しの場合と同じである。親パイプの列数は、耐火被覆無しの場合の数から２を差し引いた値である。
【０１２６】
耐火被覆有りの場合において、主柱間の親パイプの長さは、主柱の間隔が８．０ｍである場合、０．６ｍ（０．３ｍ＋０．３ｍ）を差し引いた値である。主柱間のスパン数は、ＲＡＣＫの長さを主柱の間隔で除した値を四捨五入した値である。主柱の本数は、主柱間のスパン数を２倍し、さらに２を加えた値である。主柱間を通る親パイプの箇所数は、主柱間のスパン数を２倍した値である。
【０１２７】
そして、親パイプ１列に使用する部材とその数量をタワーくみ足場の建地の部材の場合と同様にして算出し、これに列数を掛けて親パイプ全体の数量を算出する。また、足場板の数量は、横型機器くみ足場のようにして算出する。
【０１２８】
このようにしてつり足場を構成する全ての資材及びその数量を得る。そして、見積処理手段１２は、資材費及び労務費を得る。見積処理手段１２で得た資材費及び労務費は、表示処理手段１３によって図２４に示す工事明細表形式となるようにデータ処理されてクライアントＡ〜Ｄのコンピュータに送信される。
【０１２９】
算出された見積金額は、クライアントＡ〜Ｄ毎にユーザーデータフォルダ２３に保存されており、クライアントＡ〜Ｄがインターネットへの接続が可能な環境下にあれば自由に閲覧したり、修正することができる。
【０１３０】
以上説明したように、この実施形態にかかる仮設足場設計支援システム１によれば、ユーザーにより選択された足場ユニットの構造を足場ユニットデータベース２０から得て、許容強度記憶データベース２５に記憶されている資材の許容強度に基づいて仮設足場の構造解析を行うようにしている。
【０１３１】
これにより、大規模な仮設足場であっても構造解析を容易に行うことができ、資材の無駄を無くして工費を低減しながら、安全性を担保した仮設足場を容易に設計できる。
【０１３２】
また、気象条件に基づいて構造解析を行うことで、仮設足場の安全を担保できる気象条件を事前に把握して作業員の退避の判断等に活用することができ、現場の安全性をより一層高めることができる。
【０１３３】
特に、この実施形態では、任意の風速をユーザーが入力画面から入力することができる。風速を変更して構造計算を行うことで、仮設足場の耐え得る条件を簡単に探し出すことができる。
【０１３４】
また、仮設足場の資材間の距離と積載荷重と許容強度とに基づいて構造解析を行うようにしたので、解析結果の信頼性をより一層高めることができ、仮設足場の安全性を十分に担保することができる。
【０１３５】
また、仮設足場を構成する複数種の足場ユニットを、該足場ユニットの構築に必要な資材及び該資材の数量と共に足場ユニットデータベース２０に記憶しておき、クライアントＡ〜Ｄから入力された仮設足場に関する情報に基づいて対応する足場ユニットを選択して必要な資材及び該資材の数量を得て、これに各資材の単価及び歩掛りを積算して見積金額を算出することができる。
【０１３６】
従って、熟練者でなくとも仮設足場工事に要する資材の種類と数量とを正確に予測して、工事費用の見積金額を素早く、かつ、正確に算出できる。
【０１３７】
そして、仮設足場設計支援システム１をＳａａＳ提供サーバで構成したことで、インターネットへの接続が可能であればどこからでも見積金額の算出、修正、閲覧を行うことができ、利便性が高い。
【０１３８】
また、資材単価データベース２１の単価と歩掛りデータベース２２の歩掛りとは、ユーザーが簡単に変更できるので、ユーザー毎に適した見積金額を容易に得ることができる。
【０１３９】
尚、上記実施形態にかかる仮設足場設計支援システム１では、３種類の仮設足場の見積金額を算出することができるようになっているが、見積可能な足場の種類は増やすことができる。
【０１４０】
また、構造解析により、例えば足場板、コロバシパイプ及び布パイプのたわみ量を得ることができる。
【０１４１】
また、仮設足場の構築後に、現場の風速計で検出した風速をリアルタイムで足場設計支援システムに入力できるようにしてもよい。これにより、現在の風速に基づいて構造解析を行うことができ、仮設足場が危険な状態となる前に作業員が安全を確保する行動をとることができる。
【０１４２】
また、仮設足場の構築後に、現場の降雪量や降雨量を検出する装置を設け、降雪量や降雨量をリアルタイムで足場設計支援システムに入力できるようにしてもよい。これにより、現在の降雪量や降雨量に基づいて構造解析を行うことができる。
【０１４３】
また、仮設足場がくみ足場の場合、仮設足場を例えば架台上に組み立てることがある。この場合、上述のように、建地の位置と、建地１本当たりの鉛直方向の荷重とが解析結果として得られているので、架台のどこにどの程度の荷重がかかるかを得ることができる。例えば、架台の梁以外の部分のように耐荷重の低い部分に建地が位置している場合には、架台上に当該くみ足場を組み立てることが好ましくないと判定する（ＮＧと判定する）ことができる。また、建地１本あたりの荷重が、架台における当該建地の位置する部分の許容荷重よりも大きな荷重の場合にも、架台上に当該くみ足場を組み立てることが好ましくないと判定することができる。一方、建地の位置が架台の梁の上のように耐荷重の高い部分であり、かつ、建地１本あたりの荷重が、架台における当該建地の位置する部分の許容荷重よりも小さな荷重の場合には、当該くみ足場を架台上に組み立てることが可能であると判定する（ＯＫと判定する）ことができる。架台を構成する部材の寸法や許容荷重を入力しておくことで、架台のたわみ量を得ることもできる。
【０１４４】
また、仮設足場が吊り足場の場合、架台に吊すように組み立てることがある。この場合も、上述のように、荷重のかかる部位と、その部位の荷重とが解析結果として得られているので、架台のどこにどの程度の荷重がかかるかを得ることができる。例えば、架台の梁以外の部分のように耐荷重の低い部分に荷重がかかるような設計は、架台に当該吊り足場を組むことが好ましくないと判定する（ＮＧと判定する）ことができる。また、架台にかかる荷重が、架台における荷重のかかる部分の許容荷重よりも大きな荷重の場合にも、架台に吊り足場を組むことが好ましくないと判定することができる。一方、荷重のかかる部位が架台の梁のように耐荷重の高い部分であり、かつ、その荷重が、架台の許容荷重よりも小さな荷重の場合には、吊り足場を架台に組むことが可能であると判定する（ＯＫと判定する）ことができる。
【０１４５】
また、仮設足場に例えば防音パネルを取り付ける場合には、足場にかかる風荷重が大きくなる。この場合、仮設足場を架台に組んでいると、架台にかかる荷重が大きくなるが、上述のように、風荷重によって各ポイントにかかる荷重を予め得ることができるので、架台に仮設足場を組むことができるか否かを判定することもできる。また、風荷重によって発生する架台のたわみ等を得ることもできる。
【産業上の利用可能性】
【０１４６】
以上説明したように、本考案は、例えばタワーくみ足場等の足場工事に要する費用の見積金額を算出する場合に適用できる。
【符号の説明】
【０１４７】
１          仮設足場設計支援システム
２          Ｗｅｂサーバ
３          基幹アプリケーションサーバ
４          基幹データベースサーバ
１０        足場種別選択手段
１１        情報入力手段
１２        見積処理手段
１３        表示処理手段
１４        構造解析処理手段
２０        足場ユニットデータベース
２１        資材単価データベース
２２        歩掛りデータベース
２３        ユーザーデータベース
２４        足場タイプ図面データベース
２５        許容強度記憶データベース
【図１】
0003179447.tif 000005
【図２】
0003179447.tif 000006
【図３】
0003179447.tif 000007
【図４】
0003179447.tif 000008
【図５】
0003179447.tif 000009
【図６】
0003179447.tif 000010
【図７】
0003179447.tif 000011
【図８】
0003179447.tif 000012
【図９】
0003179447.tif 000013
【図１０】
0003179447.tif 000014
【図１１】
0003179447.tif 000015
【図１２】
0003179447.tif 000016
【図１３】
0003179447.tif 000017
【図１４】
0003179447.tif 000018
【図１５】
0003179447.tif 000019
【図１６】
0003179447.tif 000020
【図１７】
0003179447.tif 000021
【図１８】
0003179447.tif 000022
【図１９】
0003179447.tif 000023
【図２０】
0003179447.tif 000024
【図２１】
0003179447.tif 000025
【図２２】
0003179447.tif 000026
【図２３】
0003179447.tif 000027
【図２４】
0003179447.tif 000028
【図２５】
0003179447.tif 000029
【図２６】
0003179447.tif 000030